(57)【要約】【課題】送信すべき情報に基づく電界を電界伝達媒体に誘起させ、この誘起させた電界を用いて前記情報の送受信を行うトランシーバであって、絶縁体床の厚さに応じて他のコンピュータとのデータ通信が可能になったり不可能になったりするという性質を利用した発明を提供することを目的としたものである。【解決手段】受信情報に係る電気信号（電圧信号）の振幅範囲を予め指定して制限条件記憶部２０に記憶しておき、この振幅指定範囲内の場合にのみデータ送信を行うことが可能な送信部１０３のフィードバック制御により、絶縁体床の厚さに応じて他のコンピュータとのデータ通信が可能になったり不可能になったりするという性質を利用した発明の一例を提供することができる。【選択図】　　　図１
2004128744.tif 000002
【特許請求の範囲】
【請求項１】
送信すべき情報に基づいた電界を電界伝達媒体に誘起させる一方で、前記電界伝達媒体に誘起されている電界に基づいた情報を受信することにより、前記電界伝達媒体を介した情報の送受信が可能なトランシーバであって、
送信すべき情報に基づく電界を電界伝達媒体に誘起させ、この誘起させた電界を用いて前記情報の送受信を行うトランシーバであって、
前記送信すべき情報に基づく電界を前記電界伝達媒体に誘起させることにより前記情報を送信する送信手段と、
前記送信手段による情報送信の制限条件として使用する電気信号の振幅範囲を記憶する制限条件記憶手段と、
前記電界伝達媒体に誘起して伝達されてくる電界を検出し、当該電界を受信情報として電気信号に変換する電界検出手段と、
前記電界検出手段により変換した電気信号を信号処理して出力する信号処理手段と、
前記信号処理手段により信号処理した電気信号の振幅を測定する振幅測定手段と、
前記制限条件記憶手段に記憶された電気信号の振幅範囲内に前記振幅測定手段によって測定した電気信号の振幅が含まれているか否かを判別する振幅判別手段と、
前記振幅判別手段による判別結果に基づいて前記送信手段による情報送信の可否を制御する送信制御手段と、
を有することを特徴とするトランシーバ。
【請求項２】
前記制限条件記憶手段は、前記トランシーバの外部からの入力により電気信号の振幅範囲を記憶することが可能であることを特徴とする請求項１に記載のトランシーバ。
【請求項３】
前記制限条件記憶手段に記憶された電気信号の振幅範囲内に前記振幅測定手段によって測定した電気信号の振幅が含まれていない旨の判別結果の場合には、前記送信制御手段は、前記送信手段による情報送信を行わないように制御することを特徴とする請求項１に記載のトランシーバ。
【発明の詳細な説明】
【０００１】
【発明の属する技術分野】
本発明は、例えばウェアラブルコンピュータ間のデータ通信のために使用されるトランシーバに関し、更に詳しくは、送信すべき情報に基づく電界を人体等の電界伝達媒体に誘起させ、この誘起した電界を用いて情報の送受信を行うトランシーバに関する。
【０００２】
【従来の技術】
近年、衣服のように人体に着けて、操作及び使用することができるという新しい概念のコンピュータが注目されている。このコンピュータは、ウェアラブルコンピュータ（Ｗｅａｒａｂｌｅ　Ｃｏｍｐｕｔｅｒ）と呼ばれ、携帯端末の小型化および高性能化により実現が可能となった。
【０００３】
また、複数のウェアラブルコンピュータ間のデータ通信を人間の腕、肩、胴体等の人体（生体）を介して行う技術の研究も進んでおり、この技術は既に特許文献等で提案されている（例えば、特許文献１参照）。図４は、このような人体を介して複数のウェアラブルコンピュータ間通信を行う場合のイメージ図を示している。同図に示すように、ウェアラブルコンピュータ１は、これに当接されたトランシーバ３’とにより一組を構成しており、他のウェアラブルコンピュータ１とトランシーバ３’の組に対して、人体を介することによりデータ通信を行うことができる。また、ウェアラブルコンピュータ１は、人体に装着しているウェアラブルコンピュータ１以外のＰＣ（パーソナルコンピュータ）５と壁等に設置されているトランシーバ３’ａの組や、このＰＣ５と床等に設置されているトランシーバ３’ｂの組とのデータ通信もそれぞれ可能である。但し、この場合のＰＣ５は、ウェアラブルコンピュータ１とトランシーバ３’のように互いに当接されておらず、ケーブル４を介してトランシーバ３’ａ，３’ｂと接続されている。
【０００４】
また、人体を介して行うデータ通信に関しては、レーザ光と電気光学結晶を用いた電気光学的手法による信号検出技術を利用し、送信すべき情報（データ）に基づく電界を電界伝達媒体である人体に誘起させ、この誘起した電界を用いて情報の送受信を行っている。この人体を介したデータ通信の技術については、図５及び図６を用いて、更に詳しく説明する。
【０００５】
図５は、人体（生体１００）を介したデータ通信を行うために用いるトランシーバ３’の全体構成図である。また、図６は、トランシーバ３’内の電界検出光学部１１０の詳細な構成を示した構成図である。
【０００６】
図５に示すように、トランシーバ３’は、送信電極１０５および受信電極１１１がそれぞれ絶縁膜１０７，１０９を介して生体１００に接触した状態で使用される。そして、トランシーバ３’は、図５に示すように、ウェアラブルコンピュータ１から供給されたデータをＩ／Ｏ（入出力）回路１０１を介して受信し、送信部１０３に送信する。送信部１０３では、送信電極１０５から絶縁膜１０７を介して電界伝達媒体である生体１００に電界を誘起させ、この電界を生体１００を介して生体１００の他の部位に装着されている別のトランシーバ３’に伝達させる。
【０００７】
また、トランシーバ３’は、生体１００の他の部位に装着された別のトランシーバ３’から生体１００に誘起して伝達されてくる電界を絶縁膜１０９を介して受信電極１１１で受信し、この受信した電界を電界検出光学部１１０で電気光学結晶に結合（印加）して電気信号に変換してから信号処理回路１１５に送信する。信号処理回路１１５では、送信されてきた電気信号の増幅及び雑音除去等の信号処理を行った後、波形整形回路１１７に送信する。波形整形回路１１７では、送信されてきた電気信号の波形整形を施し、入出力回路１０１を介してウェアラブルコンピュータ１に供給する。
【０００８】
例えば、図４に示すように、右腕に装着したウェアラブルコンピュータ１は、トランシーバ３’により送信データに係る電気信号を電界として電界伝達媒体である生体１００に誘起させ、波線で示すように電界として生体１００の他の部位に伝達する。一方、左腕に装着したウェアラブルコンピュータ１では、生体１００から伝達されてくる電界をトランシーバ３’により電気信号に戻してから、受信データとして受信することができる。
【０００９】
また、トランシーバ３’により電気信号に戻す処理は、レーザ光と電気光学結晶を用いた電気光学的手法により電界を検出する電界検出光学部１１０によって行う。この電界検出光学部１１０は、図６に示すように、電流源１１９、レーザダイオード１２１、電気光学素子（電気光学結晶）１２３、第一及び第二波長板１３５，１３７、偏光ビームスプリッタ１３９、複数のレンズ１３３，１４１ａ，ｂ、フォトダイオード１４３ａ，ｂ、並びにグランド電極１３１により構成されている。尚、信号電極１２９は、図５に示すような形態のトランシーバ３’においては、受信電極１１１に相当するものである。
【００１０】
このうち、電気光学素子１２３は、レーザダイオード１２１からのレーザ光の進行方向に対して直角方向に結合される電界にのみ感度を有し、この電界強度によって光学特性、すなわち複屈折率が変化し、この複屈折率の変化によりレーザ光の偏光を変化させるように構成されている。電気光学素子１２３の図上で上下方向に対向する両側面には、第１電極１２５と第２電極１２７が設けられている。この第１電極１２５および第２電極１２７は、レーザダイオード１２１からのレーザ光の電気光学素子１２３内における進行方向を両側から挟み、レーザ光に対して電界を直角に結合させることができる。
【００１１】
また、電界検出光学部１１０は、第１電極１２５を介して信号電極１２９（受信電極１１１）に接続されている。第１電極１２５に対向する第２電極１２７は、グランド電極１３１に接続されており、第１電極１２５に対してグランド電極として機能するように構成されている。そして、信号電極１２９は、生体１００に誘起されて伝達されてくる電界を受けると、この電界を第１電極１２５に伝達し、第１電極１２５を介して電気光学素子１２３に結合することができる。
【００１２】
一方、電流源１１９の電流制御によりレーザダイオード１２１から出力されるレーザ光は、コリメートレンズ１３３を介して平行光にされ、平行光となったレーザ光は第１波長板１３５で偏光状態を調整されて、電気光学素子１２３に入射する。電気光学素子１２３に入射されたレーザ光は、電気光学素子１２３内で第１、第２電極１２５，１２７の間を伝播するが、このレーザ光の伝播中において上述したように信号電極１２９が生体１００に誘起されて伝達されてくる電界を受け、この電界を第１電極１２５を介して電気光学素子１２３に結合すると、この電界は第１電極１２５からグランド電極１３１に接続されている第２の電極１２７に向かって形成される。この電界は、レーザダイオード１２１から電気光学素子１２３に入射したレーザ光の進行方向に直角であるため、電気光学素子１２３の光学特性である複屈折率が変化し、これによりレーザ光の偏光が変化する。
【００１３】
次に、電気光学素子１２３において第１電極１２５からの電界によって偏光が変化したレーザ光は、第２波長板１３７で偏光状態を調整されて偏光ビームスプリッタ１３９に入射する。偏光ビームスプリッタ１３９は、第２波長板１３７から入射されたレーザ光をＰ波およびＳ波に分離して、光の強度変化に変換する。この偏光ビームスプリッタ１３９でＰ波成分およびＳ波成分に分離されたレーザ光は、それぞれ第１、第２の集光レンズ１４１ａ，１４１ｂで集光されてから、光電気変換手段を構成する第１、第２のフォトダイオード１４３ａ，１４３ｂで受光され、第１、第２のフォトダイオード１４３ａ，１４３ｂにおいてＰ波光信号とＳ波光信号をそれぞれの電気信号に変換して出力することができる。尚、上述したように第１、第２のフォトダイオード１４３ａ，１４３ｂから出力される電流信号は、抵抗を用いて電圧信号に変換されてから、図５に示す信号処理回路１１５で増幅及び雑音除去の信号処理を施され、波形整形回路１１７で波形整形の信号処理を施されてから、入出力回路１０１を介してウェアラブルコンピュータ１に供給されることになる。
【００１４】
【特許文献１】
特開２００１−３５２２９８号公報（第４−５頁、第１−５図）
【００１５】
【発明が解決しようとする課題】
ところで、人体に誘起された電界は、図４に示す床等の大地グランドに逃げると、図６に示すトランシーバ３’内の電界検出光学部１１０に伝達される電界強度が小さくなるため、人体を介してのデータ通信を行うことが出来なくなってしまうという性質がある。この性質に関し、図２及び図３に示すように、厚さが異なる２種類の絶縁体床Ｍ，Ｎを用いて、詳細に説明する。
【００１６】
図２に示す絶縁体床Ｍは比較的厚いものであり、トランシーバ３ｂを被うように成形されている。また、トランシーバ３ｂと人体を電気的に接触させるために、絶縁体床Ｍの表面には電極ｍが設置され、トランシーバ３ｂに電気的に接続されている。更に、トランシーバ３ｂは、図４に示すトランシーバ３’ｂと同様に、ケーブル４を介してＰＣ５と接続されている。
【００１７】
一方、図３に示す絶縁体床Ｎは比較的薄いものであり、トランシーバ３ｂを被うように成形されている。また、トランシーバ３ｂと人体を電気的に接触させるために、絶縁体床Ｎの表面には、電極ｎが設置され、トランシーバ３ｂに電気的に接続されている。更に、トランシーバ３ｂは、図４に示すトランシーバ３’ｂと同様に、ケーブル４を介してＰＣ５と接続されている。尚、図２及び図３においては、絶縁体床Ｍと絶縁体床Ｎの違いが一見して分かるように、極端に厚さを厚くしているが、実際には図２及び図３に示すような厚さの絶縁体を使用する必要はない。
【００１８】
以上のような絶縁体床Ｍ，Ｎにおいて、絶縁体床Ｍは厚さが比較的厚いため、人体から大地グランドに逃げる電界が少ない。よって、トランシーバ３からトランシーバ３ｂへ効率良く電界が伝達されるため、弱い電界でもＰＣ５とのデータ通信が可能である。しかし、絶縁体床Ｎは厚さが比較的薄いため、人体から大地グランドに逃げる電界が多い。よって、トランシーバ３からトランシーバ３ｂへの電界の伝達効率が悪いため、弱い電界の場合はＰＣ５とのデータ通信が出来ない場合がある。
【００１９】
本発明は上述した事情を鑑みてなされたものであり、絶縁体床の厚さに応じて他のコンピュータとのデータ通信が可能になったり不可能になったりするという性質を利用した発明を提供することを目的としたものである。
【００２０】
【課題を解決するための手段】
上記目的を達成するため、請求項１に係る発明は、送信すべき情報に基づいた電界を電界伝達媒体に誘起させる一方で、前記電界伝達媒体に誘起されている電界に基づいた情報を受信することにより、前記電界伝達媒体を介した情報の送受信が可能なトランシーバであって、前記送信すべき情報に基づく電界を前記電界伝達媒体に誘起させることにより前記情報を送信する送信手段と、前記送信手段による情報送信の制限条件として使用する電気信号の振幅範囲を記憶する制限条件記憶手段と、前記電界伝達媒体に誘起して伝達されてくる電界を検出し、当該電界を受信情報として電気信号に変換する電界検出手段と、前記電界検出手段により変換した電気信号を信号処理して出力する信号処理手段と、前記信号処理手段により信号処理した電気信号の振幅を測定する振幅測定手段と、前記制限条件記憶手段に記憶された電気信号の振幅範囲内に前記振幅測定手段によって測定した電気信号の振幅が含まれているか否かを判別する振幅判別手段と、前記振幅判別手段による判別結果に基づいて前記送信手段による情報送信の可否を制御する送信制御手段と、を有することを特徴とするトランシーバである。
【００２１】
請求項２に係る発明は、前記制限条件記憶手段は、前記トランシーバの外部からの入力により電気信号の振幅範囲を記憶することが可能であることを特徴とする請求項１に記載のトランシーバである。
【００２２】
請求項３に係る発明は、前記制限条件記憶手段に記憶された電気信号の振幅範囲内に前記振幅測定手段によって測定した電気信号の振幅が含まれていない旨の判別結果の場合には、前記送信制御手段は、前記送信手段による情報送信を行わないように制御することを特徴とする請求項１に記載のトランシーバである。
【００２３】
【発明の実施の形態】
本発明の実施形態に係るトランシーバ３は、送信すべき情報に基づいた電界を電界伝達媒体（生体１００等）に誘起させる一方で、電界伝達媒体に誘起されている電界に基づいた情報を受信することにより、電界伝達媒体を介した情報の送受信が可能なトランシーバである。以下、図１を用いて、本発明の一実施形態について説明する。図１は、本発明の一実施形態に係るトランシーバ３の全体構成図である。尚、従来と同じ機能及び構成に関しては、同一符号を付しているが、ここで改めて説明する。
【００２４】
図１に示すように、トランシーバ３は、Ｉ／Ｏ（入出力）回路１０１、送信部１０３、送信電極１０５、絶縁膜１０７，１０９、受信電極１１１、電界検出光学部１１０、信号処理回路１１５、及び波形整形回路１１７を有している点は、従来のトランシーバ３’と同様である。更に、本実施形態のトランシーバ３は、振幅測定部１１、振幅判別部１３、制御信号発生部１５、及び制限条件記憶部２０を有している。
【００２５】
まず、Ｉ／Ｏ回路１０１は、トランシーバ３がコンピュータ等の外部処理装置との情報（データ）の入出力を行う回路である。送信部１０３は、Ｉ／Ｏ回路１０１から出力される情報（データ）に基づき、この情報に係る電界を生体に誘起させる機能を有している。送信電極１０５は、送信部１０３により生体１００に対して電界を誘起するために使用する電極である。絶縁膜１０７は、送信電極１０５と生体１００との間に配置する絶縁体の膜であり、送信電極１０５が直接生体１００に接触することを防ぐ役割を果たす。
【００２６】
また、受信電極１１１は、生体１００の他の部分に装着されているウェアラブルコンピュータ１及びトランシーバ３やＰＣ５及びトランシーバ３ａ，３ｂから生体１００に誘起されて伝達されてくる電界を受信するために使用する電極である。絶縁膜１０９は、上記絶縁膜１０７と同じように、受信電極１１１と生体１００との間に配置された絶縁体の膜である。
【００２７】
更に、電界検出光学部１１０は、受信電極１１１で受信した電界を検出し、この電界を受信情報として電気信号に変換する機能を有している。また、信号処理回路１１５は、電界検出光学部１１０から送信されてきた電気信号の増幅及び雑音除去等の信号処理を行い、波形整形回路１１７に出力するだけでなく、振幅測定部１１に対しても出力する機能を有している。また、波形整形回路１１７は、信号処理回路１１５から送信されてきた電気信号の波形整形（信号処理）を施し、Ｉ／Ｏ回路１０１を介してウェアラブルコンピュータ１に供給する機能を有している。
【００２８】
また、制御条件記憶部２０は、送信部１０３による情報送信の制限条件として使用する電気信号（電圧信号）の振幅範囲を記憶しておくメモリであり、ウェアラブルコンピュータ１からの入力により電気信号の振幅範囲を記憶することができる。例えば、信号処理回路１１５から出力される電気信号（電圧信号）の振幅が指定範囲内である場合にのみ送信部１０３を駆動させるために、振幅の指定範囲等の制限条件を記憶しておくことができる。
【００２９】
また、振幅測定部１１は、信号処理回路１１５から送られてきた電気信号（電圧信号）の振幅を検出する機能を有している。振幅判別部１３は、制限条件記憶部２０に記憶されている電気信号の振幅指定範囲と振幅測定部１１で検出した信号処理回路１１５からの電気信号の振幅を照合して、信号処理回路１１５からの電気信号の振幅が上記電気信号の振幅指定範囲内に含まれているか否かを判別し、判別結果を制御信号発生部１５に出力する機能を有する。また、制御信号発生部１５は、振幅判別部１３からの判別結果に基づき、信号処理回路１１５からの電気信号の振幅が上記電気信号の振幅指定範囲内に含まれている場合には、送信部１０３を駆動する制御信号を発生させて送信部１０３に送信すると共に、ウェアラブルコンピュータ１を制御する制御信号を発生させてＩ／Ｏ１０１を介しウェアラブルコンピュータ１に送信する機能を有している。また、信号処理回路１１５からの電気信号の振幅が上記電気信号の振幅指定範囲内に含まれていない場合には、送信部１０３及びウェアラブルコンピュータ１への各制御信号を発生させない。このため、送信部１０３による情報送信は行われない。
【００３０】
続いて、本実施形態に係るトランシーバ３の動作について説明する。
【００３１】
尚、本実施形態では、美術館において入場客にウェアラブルコンピュータ１及びトランシーバ３をセットで貸し出し、美術館の管理室に設置されているＰＣ５とのデータ通信により絵画や彫刻等の美術品に関する質問の受け付けや回答・
説明のサービスを行う場合について説明する。また、この美術館の床には、図２に示すような厚い絶縁体で成形された絶縁体床Ｍのゾーンと、図３に示すような薄い絶縁体で成形された絶縁体床Ｎのゾーンが存在している。美術品が展示されている付近には、図２及び図３に示すように、入場客が足で踏める位置に電極ｍ，ｎが設置されている。更に、ＰＣ５に対してデータ通信により美術品に関する質問等を行うことができるゾーンを多く利用できるに従って、美術館の入場料金が高く設定されている。例えば、入場客が安い入場料金を支払った場合には、図３に示すような薄い絶縁体床Ｎのゾーンでのサービスを受けることしかできず、高い入場料金を支払った場合には、図３に示すようなゾーンだけでなく、図２に示すような厚い絶縁体床Ｍのゾーンでもサービスを受けることができる。
【００３２】
以上のような設備が整った美術館において、入場客は美術館の受付窓口において、入場料を支払うと共に、ウェアラブルコンピュータ１及びトランシーバ３をセットとして受け取る。この際、受付窓口において、受付者は入場客が支払った入場料金に応じて、ウェアラブルコンピュータ１からトランシーバ３に制限条件を入力しておく。この制限条件の入力は、パスワード等の入力による認証処理によって、正当者（受付者）のみが行うことができる。また、ウェアラブルコンピュータ１から入力された制限条件は、Ｉ／Ｏ１０１を介して制限条件記憶部２０に記憶される。ここでは、図２に示すゾーンにおいて説明のサービスを受けられるが、図３に示すゾーンでは説明のサービスを受けられないように制限条件（振幅指定範囲）を入力した場合について説明する。
【００３３】
まず、ウェアラブルコンピュータ１及びトランシーバ３のセットを装着した入場客が図２に示すゾーンに入り、電極ｍを足で踏んだ場合には、ＰＣ５及びトランシーバ３ｂから入場客（生体１００）に誘起して伝達されてくる電界を絶縁膜１０９を介して受信電極１１１で受信し、この受信した電界を電界検出光学部１１０で結合（印加）して電気信号（電圧信号）に変換してから信号処理回路１１５に送信する。信号処理回路１１５では、送信されてきた電気信号の増幅及び雑音除去等の信号処理を行った後、波形整形回路１１７に送信する。波形整形回路１１７では、送信されてきた電気信号の波形整形を施し、入出力回路１０１を介してウェアラブルコンピュータ１に供給する。
【００３４】
ところで、信号処理回路１１５から出力された電気信号は、振幅測定部１１にも送信される。これにより、振幅測定部１１では、信号処理回路１１５から送られてきた電気信号（電圧信号）の振幅を測定する。
【００３５】
次に、振幅判別部１３では、制限条件記憶部２０に記憶されている電気信号の振幅指定範囲と振幅測定部１１で検出した信号処理回路１１５からの電気信号の振幅を照合して、信号処理回路１１５からの電気信号の振幅が上記電気信号の振幅指定範囲内に含まれているか否かを判別し、この判別結果を制御信号発生部１５に出力する。
【００３６】
次に、制御信号発生部１５では、振幅判別部１３からの判別結果に基づき、信号処理回路１１５からの電気信号の振幅が上記電気信号の振幅指定範囲内である場合には、送信部１０３を駆動する制御信号を発生させて送信部１０３に送信すると共に、ウェアラブルコンピュータ１を制御する制御信号を発生させてＩ／Ｏ１０１を介しウェアラブルコンピュータ１に送信する。図２に示すゾーンでは、トランシーバ３からの送信ができるように制限条件が設定されているため、制御信号発生部１５は、送信部１０３及びウェアラブルコンピュータ１に制御信号を送信する。これにより、入場客は、図２に示すゾーンにおいて美術品に関する質問等をＰＣ５に対して行うことができ、ＰＣ５から回答や説明を受けることができる。
【００３７】
次に、入場客が図３に示すゾーンに入って、電極ｎを踏んだ場合には、上記図２に示すゾーンに入った場合と同様に、ＰＣ５及びトランシーバ３ｂから入場客（生体１００）に誘起して伝達されてくる電界を絶縁膜１０９を介して受信電極１１１で受信し、この受信した電界を電界検出光学部１１０で結合（印加）して電気信号（電圧信号）に変換してから信号処理回路１１５に送信する。信号処理回路１１５では、送信されてきた電気信号の増幅及び雑音除去等の信号処理を行った後、波形整形回路１１７に送信する。波形整形回路１１７では、送信されてきた電気信号の波形整形を施し、入出力回路１０１を介してウェアラブルコンピュータ１に供給する。
【００３８】
また、信号処理回路１１５から出力された電気信号は、図２に示すゾーンに入った場合と同じように、振幅測定部１１にも送信される。これにより、振幅測定部１１では、信号処理回路１１５から送られてきた電気信号（電圧信号）の振幅を検出する。
【００３９】
次に、振幅判別部１３では、制限条件記憶部２０に記憶されている電気信号の振幅指定範囲と振幅測定部１１で検出した信号処理回路１１５からの電気信号の振幅を照合して、信号処理回路１１５からの電気信号の振幅が上記電気信号の振幅指定範囲内に含まれているか否かを判別し、この判別結果を制御信号発生部１５に出力する。但し、図３に示すゾーンでは、信号処理回路１１５からの電気信号の振幅が上記電気信号の振幅指定範囲内に含まれていないと判別するため、制御信号発生部１５では、制御信号を発生させない。これにより、送信部１０３は情報送信を行わないため、入場客は図３に示すゾーンにおいて美術品に関する質問等をＰＣ５に対して行うことができず、ＰＣ５から回答や説明等のサービスも受けることができない。
【００４０】
以上説明したように本実施形態によれば、受信情報に係る電気信号（電圧信号）の振幅範囲を予め指定して制限条件記憶部２０に記憶しておき、この振幅指定範囲内の場合にのみデータ送信を行うことが可能な送信部１０３のフィードバック制御により、絶縁体床Ｍ，Ｎの厚さに応じてＰＣ５とのデータ通信が可能になったり不可能になったりするという性質を利用した発明の一例を提供することができる。
【００４１】
尚、上記実施形態では、信号処理回路１１５の出力を振幅測定部１１に送信（入力）することとしたが、これに限るものではなく、波形整形回路１１７の出力を振幅測定部１１に送信してもよい。
【００４２】
また、上記実施形態では、ウェアラブルコンピュータ１及びトランシーバ３のセットを入場客に貸し出す際にウェアラブルコンピュータ１から制限条件記憶部へ制限条件を入力したが、これに限るものではなく、メーカ又は販売店から美術館への納品前に予め制限条件を記憶しておき、後から制限条件の書き換えが出来ないようにしてもよい。
【００４３】
更に、上記実施形態では、送信電極１０５と受信電極１１１を別個の電極としたが、これに限るものではなく、一つの電極として形成し、送受信電極としてもよい。
【００４４】
【発明の効果】
以上説明したように本発明によれば、受信情報に係る電気信号の振幅範囲を予め定めておき、この振幅指定範囲内の場合にのみデータ送信を行うことが可能なフィードバック制御により、絶縁体床の厚さに応じて他のコンピュータとのデータ通信が可能になったり不可能になったりするという性質を利用した発明を提供することができる。
【図面の簡単な説明】
【図１】本発明の一実施形態に係るトランシーバ３の全体構成図。
【図２】トランシーバ３を装着した人が厚い絶縁体床Ｍの上でＰＣ５とデータ通信を行う場合のイメージ図。
【図３】トランシーバ３を装着した人が薄い絶縁体床Ｎの上でＰＣ５とデータ通信を行う場合のイメージ図。
【図４】人体（生体１００）を介して複数のウェアラブルコンピュータ間通信を行う場合のイメージ図。
【図５】人体（生体１００）を介したデータ通信を行うために用いる従来のトランシーバ３’の全体構成図。
【図６】従来のトランシーバ３’内の電界検出光学部１１０の詳細な構成を示した構成図。
【符号の説明】
１　ウェアラブルコンピュータ
３　本発明のトランシーバ
３’　従来のトランシーバ
１１　振幅測定部〔振幅測定手段の一例〕
１３　振幅判定部〔振幅判定手段の一例〕
１５　制御信号発生部〔送信制御手段の一例〕
２０　制限条件記憶部〔制限条件記憶手段の一例〕
１０１　Ｉ／Ｏ回路
１０３　送信部〔送信手段の一例〕
１０５　送信電極
１０７　絶縁膜
１０９　絶縁膜
１１１　受信電極
１１０　電界検出光学部〔電界検出手段の一例〕
１１５　信号処理回路〔信号処理手段の一例〕
１１７　波形整形回路〔信号処理手段の一例〕
Ｍ　厚い絶縁体床
Ｎ　薄い絶縁体床
【図１】
2004128744.tif 000003
【図２】
2004128744.tif 000004
【図３】
2004128744.tif 000005
【図４】
2004128744.tif 000006
【図５】
2004128744.tif 000007
【図６】
2004128744.tif 000008